(57)【要約】【課題】光ディスク装置で、ディスクに情報を全て書き終えるまでに記録を中断または再開する場合、記録と記録のつなぎ目において、エラー訂正能力を超えるような記録の品質低下が再生性能に悪影響を与えることがある。【解決手段】オペアンプと、オペアンプと並列にオペアンプの反転入力端子と出力端子に接続された抵抗と、オペアンプの非反転入力端子に接続された基準電圧源と、前記抵抗に並列接続される第一コンデンサと、前記第一コンデンサに第一スイッチを介して並列接続され記録開始命令に応じて前記スイッチを閉じることで前記第一コンデンサを充電するための第二コンデンサを有する光ディスク装置を提供する。【選択図】図１
2008097687.tif 000002
【特許請求の範囲】
【請求項１】
オペアンプと、
オペアンプと並列にオペアンプの反転入力端子と出力端子に接続された抵抗と、
オペアンプの非反転入力端子に接続された基準電圧源と、
前記抵抗に並列接続される第一コンデンサと、
前記第一コンデンサに第一スイッチを介して並列接続され記録開始命令に応じて前記スイッチを閉じることで前記第一コンデンサを充電するための第二コンデンサと、
を有する光ディスク装置。
【請求項２】
前記基準電圧源は、低基準電圧端子と、高基準電圧端子と、を有し、
前記オペアンプの非反転入力端子を、非記録時は高基準電圧端子に接続し、記録開始命令とともに記録時には低基準電圧端子に接続する第二スイッチと、
をさらに有する請求項１に記載の光ディスク装置。
【請求項３】
前記第一スイッチは、
非記録時には第二コンデンサの他方の端子を接地接続し、
記録開始命令に応じて前記他方の端子を第一コンデンサの他方の端子に接続するように構成されている請求項１又は２に記載の光ディスク装置。
【請求項４】
前記第二コンデンサの非記録時における充電をするために第二コンデンサの一の端子を定電圧端子に接続する第三スイッチを有する請求項１に記載の光ディスク装置。
【請求項５】
前記高基準電圧端子から供給される電圧は、設定された低基準電圧に対応した第二コンデンサへのプリチャージに必要な電圧である請求項２に記載の光ディスク装置。
【請求項６】
請求項１から５のいずれか一に記載の光ディスク装置の製造方法であって、
レーザの記録パワーに応じて第二コンデンサへのプリチャージに最適な電圧を決定する最適電圧決定ステップと、
最適電圧決定ステップにて決定された記録パワーと、それに対応する最適な電圧とを関連付けて光ディスク装置に記憶する記憶ステップと、
を有する光ディスク装置の製造方法。
【請求項７】
前記定められた低基準電圧に対して低基準電圧と高基準電圧との比を記憶する基準電圧比記憶部と、
前記記憶されている比を用いて記録開始前に高基準電圧値を設定するための高基準電圧値設定部と、をさらに有する請求項２に記載の光ディスク装置。
【発明の詳細な説明】
【技術分野】
【０００１】
近年、光ディスクであるＤＶＤ（Ｄｉｇｉｔａｌ  Ｖｉｄｅｏ  Ｄｉｓｃ）やＣＤ（Ｃｏｎｐａｃｔ  Ｄｉｓｃ）等のドライブの高速化が目覚しい。ＤＶＤ−ＲＯＭやＣＤ−ＲＯＭからのディスクの情報の読み出しだけでなく、ＣＤ−Ｒ（ＣＤ−Ｒｅｃｏｒｄａｂｌｅ）、ＤＶＤ−Ｒ（ＤＶＤ−Ｒｅｃｏｒｄａｂｌｅ）やＤＶＤ−ＲＷ（ＤＶＤ−Ｒｅｗｒｉｔａｂｌｅ）等の書き込み可能なディスクに対する情報の記録時においても高速化が求められている。
【０００２】
ここで、上記した光ディスクにおいて、記録フォーマットは規格により決まっており、そのフォーマットの性格上、ある程度のデータの書き込み単位は大きくなってしまう。例えば、ディスクアットワンスはディスク１枚分を連続で書き込まなければならない。よって、ディスクアットワンスにおいて光ディスク装置はデータ書き込み中は一時停止しないように、光ディスク装置のディスクに書き込む速度以上の転送速度で、データを送るホスト制御回路からデータの転送を受けている。しかし、近年の光ディスク装置の高速化により、前記データの転送速度も上昇しており、何らかの原因（例えば、パーソナルコンピュータをマルチタスク動作させている場合等）でホスト制御回路からのデータの転送速度がディスクに書き込む速度以下になった場合、データを連続で書き込むことができなくなり、書き込みが失敗してしまう問題が生じている。またさらに、光ディスク装置の高速化は、ＤＶＤ−ＲＷ等のインクリメンタル記録のようにデータを追記していく際、前データ領域の終了を示すボーダアウトと次データの始まりの記録場所等を保存したボーダインの間の継ぎ目など信頼性が要求される部分にも問題を生じさせている。
【０００３】
この問題に対して、特許文献１に開示されているように記録を途中で中断、再開させるための方法が提案されている。しかし、この方法では、レーザ制御に関し、何ら考慮がされていないため、このままディスクに全て書き終えるまでに記録の中断と再開を行った場合、その記録と記録の継ぎ目において、エラー訂正能力を超えるような記録の品質低下が起こり、データの再生に悪影響を与えることがある。例えば、オーディオデータの場合は音響ノイズ、映像の場合はブロックノイズ、データの場合はデータ化け等の不具合が生じる。
【特許文献１】特開２０００−４０３０２
【発明の開示】
【発明が解決しようとする課題】
【０００４】
図１３に従来技術の光ディスク装置のレーザ光制御方式を示す。この図はＬＤ（Ｌａｓｅｒ  Ｄｉｏｄｅ）（１３０１）から出力されるパワーが一定となるように制御するＡＰＣ（Ａｕｔｏ  Ｐｏｗｅｒ  Ｃｏｎｔｒｏｌ）制御回路の一般的な構成の一例である。ここで、ＬＤのレーザ光出力時の定常状態について説明し、その後、この従来技術における問題点を説明する。
【０００５】
まず、図１３において、ＬＤ（１３０１）から出力されたレーザ光は、一部がパワーモニタであるＰＤ（Ｐｈｏｔｏ  Ｄｉｏｄｅ）（１３０２）に入射される。この入射されたレーザ光は、ＰＤにより入射パワーに比例した電流に変換される。さらに、この出力電流は電流電圧変換器（１３０３）により電圧に変換され、再生用の回路側（矢印Ｒ側）と記録用回路側（矢印Ｗ側）に入力される。
【０００６】
ここで、ディスクの情報の読み出しを行う時（以下、再生時とする）の従来技術の光ディスク装置のレーザ光制御の説明をする。
【０００７】
再生時は、再生用の回路側（矢印Ｒ側）において、ＰＤに入射されたレーザパワーに比例した電圧がサンプルホールド回路Ｒ（１３０４）に入力され、サンプルホールド時間に対応した電圧Ｖｒが出力される。（ただし、この動作は再生時のみであり、ディスクへ情報の書き込みが行われている時は、サンプルホールド回路Ｒ（１３０４）の内部スイッチがオープンになるため、サンプルホールド回路Ｒ（１３０４）から電圧出力されない。）
次に、前記電圧はオペアンプ（１３０５）と抵抗（１３０６）と抵抗（１３０７）で構成された反転増幅回路に入力される。ここで、この反転増幅回路は、基準電圧源（１３０８）が出力する電圧ＶｒｅｆｒとＶｒとの電位差を抵抗（１３０６）と抵抗（１３０７）との比で決定される増幅率で増幅した電圧Ｖｏｒを出力する。またここで、この反転増幅回路は抵抗（１３０７）とこれに並列に接続されたコンデンサ（１３０９）とでループフィルタ形成しており、このループフィルタはある時定数を持つ。
【０００８】
次に、反転増幅回路から出力された電圧ＶｏｒがＬＤドライバＲ（１３１０）に入力され電流に変換および増幅され、ＬＤ  ＯＮ信号で制御されるスイッチ（１３１１）を介し加算器（１３１２）に入りＬＤに出力される。次に、ＬＤはこの出力電流に応じたレーザ光パワーを出力する。そして、このレーザ光がまたＰＤに入射しモニタされ、上記の一連の動作が繰り返し行われ、ＬＤの出力が一定になるようにフィードバックループが形成される。
【０００９】
例えば、ＬＤのレーザ光パワーが所定の基準より小さい場合は、Ｖｒは基準電圧源Ｒ（１３０８）が出力する電圧Ｖｒｅｆｒより小さい値となり、反転増幅回路によりＶｏｒは大きな値となり、その結果ＬＤのレーザ光パワーは大きくなる。逆に、ＬＤのレーザ光出力が所定の基準より大きい場合は、Ｖｒは基準電圧源Ｒ（１３０８）が出力する電圧Ｖｒｅｆｒより大きい値となり、反転増幅回路によりＶｏｒは小さな値となり、その結果ＬＤのレーザ光パワーは小さくなる。このように、ディスクの情報の読み出しを行う再生時のレーザ光パワーは基準電圧源Ｒ（１３０８）が出力する電圧Ｖｒｅｆｒで決定されることになる。
【００１０】
ここで、ディスクへの情報の書き込みを行う時（以下、記録時とする）の従来技術の光ディスク装置のレーザ光制御の説明をする。
【００１１】
記録時は、記録用の回路側（矢印Ｗ側）において、ＰＤに入射されたレーザ光パワーに比例した電圧がサンプルホールド回路Ｗ（１３１３）に入力され、サンプルホールド時間に対応した電圧Ｖｗが出力される。（ただし、この動作は記録時のみであり、ディスクの情報の読み出しが行われている時は、サンプルホールド回路Ｗ（１３１３）の内部スイッチが切れるため、サンプルホールド回路Ｗ（１３１３）から電圧出力されない。）
次に、前記電圧はオペアンプ（１３１４）と抵抗（１３１５）と抵抗（１３１６）で構成された反転増幅回路に入力される。ここで、この反転増幅回路は、基準電圧源Ｗ（１３１７）が出力する電圧ＶｒｅｆｗとＶｗとの電位差を抵抗（１３１５）と抵抗（１３１６）との比で決定される増幅率で増幅した電圧Ｖｏｗを出力する。またここで、この反転増幅回路は抵抗（１３１６）とこれに並列に接続されたコンデンサ（１３１８）とでループフィルタ形成しており、このループフィルタはある時定数を持つ。
【００１２】
次に、反転増幅回路から出力された電圧ＶｏｗがＬＤドライバＷ（１３１９）に入力され電流に変換および増幅され、書込パルス信号で制御されるスイッチ（１３２０）を介し加算器（１３１２）に入りＬＤに出力される。次に、ＬＤはこの出力電流に応じたレーザ光パワーを出力する。そして、このレーザ光がまたＰＤに入射しモニタされ、上記の一連の動作が繰り返し行われ、ＬＤの出力が一定になるようにフィードバックループが形成される。
【００１３】
例えば、ＬＤのレーザ光パワーが所定の基準より小さい場合は、Ｖｗは基準電圧源Ｗ（１３１７）が出力する電圧Ｖｒｅｆｗより小さい値となり、反転増幅回路によりＶｏｗは大きな値となり、その結果ＬＤのレーザ光パワーは大きくなる。逆に、ＬＤのレーザ光パワーが所定の基準より大きい場合は、Ｖｗは基準電圧源Ｗ（１３１７）が出力する電圧Ｖｒｅｆｗより大きい値となり、反転増幅回路によりＶｏｗは小さな値となり、その結果ＬＤのレーザ光パワーは小さくなる。このように、ディスクの情報の書き込みを行うときのレーザ光パワーは基準電圧Ｗ（１３１７）が出力する電圧Ｖｒｅｆｗで決定されることになる。
【００１４】
以上説明したことからわかるように、ＬＤから出力されるレーザ光のパワーは、基準電圧源Ｒが出力する電圧Ｖｒｅｆｒと基準電圧源Ｗが出力する電圧Ｖｒｅｆｗとで決定される２種類があり、再生用の回路側（矢印Ｒ側）のフィードバックループによる再生パワーＰｒと、記録用の回路側（矢印Ｗ側）のフィードバックループによる記録パワーＰｗがそれに該当する。ここで、記録パワーであるＰｗは、ディスクの有機色素を加熱しピットを形成しなければならないため、再生パワーＰｒよりも大きなパワーが必要である。つまり、基準電圧源Ｗが出力する電圧Ｖｒｅｆｗの方が基準電圧源Ｒが出力する電圧Ｖｒｅｆｒより大きいということができる。以上、ＬＤのレーザ光出力時の定常状態について説明を行った。
【００１５】
次に、光ディスク装置がディスクに情報を書き込む際の過渡状態を説明し、従来技術の光ディスク装置のレーザ光制御方式において、ディスクの情報の読み出しからディスクへの情報の書き込みを行う時の切り替わりで生じる問題点を説明する。
【００１６】
図１２にＬＤが出力するレーザ光のパワーの時間変化を示す。上述した説明からわかるように、光ディスク装置が再生時から記録時に移行する際には、ＬＤが出力するパワーは変化する。図１４を使って説明すると、ディスクに書き込みが始まるＴ０の直前でＬＤが出力するパワーはＰｒ（１４０１）であるがＴ０後にはＰｗ（１４０２）となる。
【００１７】
ここで、図１５に図１３の破線で囲まれた回路を示す。図１５（ａ）は、その回路におけるディスクから情報を読み出し時（再生時）の回路構成であり、図１５（ｂ）はディスクに情報を書き込み時（記録時）の回路構成である。
【００１８】
図１５（ａ）は、再生時の記録用の回路側（矢印Ｗ側）の構成であり、図１４に示す再生時のパワーＰｒでＬＤからレーザ光パワーが出力されている。よって、このとき、光ディスク装置は、図１３の再生用の回路側（矢印Ｒ側）で動作しており、記録用の回路側（矢印Ｗ側）は動作していない。このとき、サンプルホールド回路Ｗの内部のスイッチはオープンになっており、オペアンプ側から見たサンプルホールド回路Ｗ側のインピーダンスは無限大となっている。よって、図１５（ａ）に示すオペアンプ（１５１４）を中心とした回路は、電圧フォロワ回路となり、ＬＤドライバに出力されるノードＢの電圧Ｖｏｗは基準電圧源Ｗが出力する電圧Ｖｒｅｆｗと等しくなる。また、ノードＡの電圧も同様にＶｒｅｆｗとなる。よって、コンデンサ（１５１８）の両端電圧差はなくコンデンサ（１５１８）に電荷はチャージされない。ここで、コンデンサ（１５１８）を本回路に用いる理由として、例えば、ノイズなどの何らかの理由により不要に高い電圧がサンプルホールド回路Ｗ（１５１３）から出力された場合、不必要な増幅を防ぎ、発振を防ぐための電気的緩衝材としての役割を持つことがあげられる。
【００１９】
次に、図１５（ｂ）を用いて、再生時から記録時の切り替え時点（図１４のＴ０）の記録用の回路側（矢印Ｗ側）の動作の説明をする。ここで、Ｔ０時点においてサンプルホールド回路Ｗ（１５１３）の内部スイッチがオンされる。そして、その直後でサンプルホールド回路Ｗ（１５１３）から出力される電圧は、ＬＤが出力するレーザ光パワーがＰｒからＰｗに変化する状態なので、Ｖｒｅｆｗよりも低い電圧となる。よって、コンデンサ（１５１８）の両端に電位差が生じコンデンサ（１５１８）にチャージが始まる。
【００２０】
ここで、図１６にオペアンプからの出力電圧（ノードＢの電圧）の変化を示す。前述したように、このループフィルタはある時定数を持っているため、このコンデンサに電荷がチャージされる間は、図のように記録開始時のある電圧Ｖｘ（ここで、Ｖｘ<Ｖｒｅｆｗである）から徐々に上昇し、基準電圧源Ｗが出力する電圧Ｖｒｅｆｗで安定する。
【００２１】
ここで、光ディスク装置が、ディスクに情報を書き込む際、記録品質を十分保つレーザ光パワーを出力できるようにするためには、再生時から記録時に切り替わった際に、上述したようなオペアンプからの出力電圧ができるだけ早く、基準電圧源Ｗが出力する電圧Ｖｒｅｆｗに達するようにしなければならない。もし、例えば、図１６のＴ１時点における電圧Ｖｘ１の電圧で、光ディスク装置が記録を開始した場合、ＬＤが記録時に十分安定なレーザ光パワーを出力できる電圧Ｖｒｅｆｗより低い電圧のまま記録が開始されるため、Ｔ２の時間になるまで安定なレーザ光パワーで記録が行われず、長時間、記録品質が悪いままディスクへの書き込みを行うことになる。
【課題を解決するための手段】
【００２２】
そこで、上記問題点を解決するために、本件発明では、オペアンプと、オペアンプと並列にオペアンプの反転入力端子と出力端子に接続された抵抗と、オペアンプの非反転入力端子に接続された基準電圧源と、前記抵抗に並列接続される第一コンデンサと、前記第一コンデンサに第一スイッチを介して並列接続され記録開始命令に応じて前記スイッチを閉じることで前記第一コンデンサを充電するための第二コンデンサと、を有する光ディスク装置を提供する。また、前記基準電圧源は、低基準電圧端子と、高基準電圧端子と、を有し、前記オペアンプの非反転入力端子を、非記録時は高基準電圧端子に接続し、記録開始命令とともに記録時には低基準電圧端子に接続する第二スイッチと、をさらに有する光ディスク装置を提供する。また、前記第一スイッチは、非記録時には第二コンデンサの他方の端子を接地接続し、記録開始命令に応じて前記他方の端子を第一コンデンサの他方の端子に接続するように構成されている光ディスク装置を提供する。また、前記第二コンデンサの非記録時における充電をするために第二コンデンサの一の端子を定電圧端子に接続する第三スイッチを有する光ディスク装置を提供する。
【発明の効果】
【００２３】
以上のような構成をとる本発明によって、ディスクへの高速記録や記録の開始時点および中断再開後の記録に対して正確に素早く所定のＬＤがレーザ光パワーを出力することができ、ドライブの高速回転化においても書き込み品質を保つことができる。
【発明を実施するための最良の形態】
【００２４】
以下に、各発明の実施の形態を説明する。なお、本発明はこれら実施の形態に何ら限定されるものではなく、その要旨を逸脱しない範囲において、種々なる態様で実施しうる。
【００２５】
なお、以下の実施形態と請求項の関係は次の通りである。実施形態１は、主に請求項１および請求項６などについて説明する。また、実施形態２は、請求項２、請求項３、請求項５、請求項７などについて説明する。また、実施形態３は、主に請求項４などについて説明する。
【００２６】
<<実施形態１>>
<実施形態１の概要>
本実施形態は、光ディスク装置のＡＰＣ制御回路において、ＬＤのドライブ電圧制御のための反転増幅回路に使用されるオペアンプに２個の、例えばコンデンサＡ、Ｂを接続し、ディスクの情報の読み出し時には、２個のコンデンサのうち１つのコンデンサＡをチャージしておき、ディスクへの情報の書き込み開始時に、そのコンデンサＡをもう片方のコンデンサＢに並列に接続することで、コンデンサＡからコンデンサＢへ電荷のチャージをするよう構成された光ディスク装置である。
【００２７】
<実施形態１の構成>
図１に本実施形態の構成のブロック図の一例を示す。ただし、混乱を避けるため本件発明の特徴部分のみを記載した。この部分は従来技術の光ディスク装置の図１３の破線で囲まれた部分にあたり、それ以外は従来技術と同様であるため図示および説明を省略する。この図にあるように本実施形態の光ディスク装置は、オペアンプ（０１０１）と、抵抗（０１０２）と、基準電圧源（０１０３）と、第一コンデンサ（０１０４）と、第二コンデンサ（０１０５）と、第一スイッチ（０１０８）から構成され、図のようにそれぞれが接続されている。
【００２８】
オペアンプ（０１０１）とは、Operational Amplifierの略で演算増幅器とよばれる電気信号の増幅等に使われるデバイスである。オペアンプ単体では、比較器等の利用しかできないが、電気信号などの増幅器として使うときには抵抗を用いた負帰還をかけ、所望の増幅率をもつ増幅器として使用できる。
【００２９】
抵抗（０１０２）は、オペアンプと並列にオペアンプの反転入力端子と出力端子に接続されるよう構成されている。ここで、この抵抗は前記オペアンプを中心とした反転増幅回路を構成するためのフィードバック抵抗として用いられ、サンプルホールド回路の出力端とオペアンプの反転入力端子との間にある抵抗（０１１０）との比により反転増幅回路の増幅率を決定する。
【００３０】
「基準電圧源」（０１０３）は、オペアンプの非反転入力端子に接続されるように構成されている。
【００３１】
「第一コンデンサ」（０１０４）は、前記抵抗（０１０２）に並列接続されるよう構成されている。従来技術でも説明したが、このコンデンサの役割は、例えば、ノイズなどの何らかの理由により不要に高い電圧がサンプルホールド回路から出力された場合に不必要な増幅を防ぎ、発振を防ぐためなどの電気的緩衝材としての役割を持つことがあげられる。
【００３２】
「第二コンデンサ」（０１０５）は、前記第一コンデンサに第一スイッチを介して並列接続され記録開始命令に応じて前記スイッチを閉じることで前記第一コンデンサを充電するよう構成されている。ここで、「第一スイッチ」（０１０８）は、記録開始命令が入力される前は第一コンデンサ（０１０４）と、第二コンデンサ（０１０５）を並列接続させないようにし、記録開始命令が入力されると第一コンデンサ（０１０４）と第二コンデンサ（０１０５）を並列接続するよう構成されている。図を用いて具体的に説明すると、図に示すようにａ端子とｂ端子を持ち、記録開始命令が入力されない時は、ａ端子と接続し第一コンデンサ（０１０４）を第二コンデンサ（０１０５）と切り離す。また、記録開始命令が入力されると、端子ｂと接続し第二コンデンサ（０１０５）を第一コンデンサ（０１０４）と並列接続となるように接続する。またここで、「記録開始命令」（０１３１）とは、再生時から記録時に切り替える命令信号であり、記録時のディスクに情報を書き込む時に、ＣＰＵなどの制御回路から送信される信号である。この信号により光ディスク装置は、ＬＤの出力するレーザ光によりディスクに情報の書き込みを開始する。
【００３３】
ここで、記録開始命令が第一スイッチ（０１０８）に入力されると、第二コンデンサ（０１０５）は、第一コンデンサ（０１０４）に充電を開始するため、記録開始命令が入力される前に第二コンデンサ（０１０５）がチャージされている必要がある。よって、例えば、図２に示すような第一スイッチ（０２０８）がａ端子に接続されているときは、第二コンデンサ（０２０５）が所定の出力電圧Ｖｅをもつ電源（０２４１）に接続するように本実施形態の光ディスク装置を構成してもよい。
【００３４】
以上が、本実施形態の光ディスク装置の構成の一例である。ここで、上記のように説明した構成による本実施形態の光ディスク装置がどのように動作するかを図３を用いて説明する。
【００３５】
図３（ａ）に本実施形態の記録開始命令が入力される前の回路構成を示す。また、図３（ｂ）に本実施形態の記録開始命令が入力された後の回路構成を示す。
【００３６】
まず、（ａ）において、記録開始命令が入力される前は、サンプルホールド回路（０３５１）の内部スイッチがオープンになっているため、オペアンプ（０３０１）側から見たサンプルホールド回路（０３５１）側のインピーダンスは無限大となっている。よって、従来技術で説明したのと同様にこのオペアンプを中心とした回路は電圧フォロワ回路となる。よって、ノードＣおよびオペアンプ（０３０１）の出力端であるノードＤの電圧も基準電圧源から出力されている電圧Ｖｒｅｆとなる。このことから第一コンデンサ（０３０４）の両端の電位差はゼロとなり、この時点で第一コンデンサ（０３０４）には電荷がチャージされない。しかし、第二コンデンサ（０３０５）は、例えば前述したような所定の出力電圧Ｖｅを持つ電源を接続する場合、両端に電圧Ｖｅの電位差が存在し、電荷がチャージ（プリチャージ）される。
【００３７】
次に、光ディスク装置に記録開始命令が入力されると、図３（ｂ）のような構成になる。またこのとき、従来技術でも説明したようにサンプルホールド回路（０３５１）の内部スイッチが接続される。ここで、従来技術ではコンデンサに電荷がチャージされている間は、オペアンプからの出力端の電圧は基準電圧より低くなり、ＬＤが安定して書き込み用のレーザ光出力パワーを出すのに時間がかかった。
【００３８】
しかし、本実施形態では上述したように第一スイッチがｂ端子に接続された場合、電荷がプリチャージされた第二コンデンサ（０３０５）が、電荷のチャージされていない第一コンデンサ（０３０４）と接続され、第一コンデンサ（０３０４）の両端に第二コンデンサ（０３０５）が保持する電位差（時間により変化するが、第一スイッチがｂ端子に接続された瞬間はＶｅである）がかかることで、第一コンデンサ（０３０４）に電荷がチャージされる。よって、図４に示すように、オペアンプからＬＤドライバへ出力される電圧（ノードＤの電圧）は、ある電圧Ｖａ（ここで、Ｖａ<Ｖｒｅｆである）から上昇し、いずれ電圧Ｖｒｅｆになり安定する。ここで、図中の電圧Ｖａは、図１６の従来技術で説明した電圧Ｖｘより高く、それにより、ＬＤの出力するレーザ光パワーが安定する低基準電圧源が出力する電圧Ｖｒｅｆに達するまでの時間Ｔ３は、図１６のＴ２より早くなり、ディスクへの情報の記録品質を高めることができる。
【００３９】
ここで、第二コンデンサを用いず記録開始命令が入力される前において第一コンデンサに直接チャージした場合を考えてみる。この場合、記録開始命令が入力され第一スイッチを閉じ、サンプルホールド回路から基準電圧より低い電圧が入力された時、コンデンサには既に電荷がチャージされているためこのコンデンサは前述したような電気的緩衝材の役割機能が果たせず、非常に高いオペアンプからの出力電圧が直接ＬＤドライバに入力される。このため、ＬＤから不要な高出力のレーザ光が出力されてしまう。これは、ＬＤの破損につながる可能性があるばかりでなく、そのレーザ光をモニタしたＰＤからの出力による前述したフィードバックループ回路において発振を生じさせてしまう可能性がある。よって知識の確認ではあるが、第二コンデンサの必要性がわかる。
<実施形態１の製造方法の流れ>
図５に本実施形態の製造方法の流れの一例を表すフローチャートを示す。以下にこのフローチャートの説明をする。
図にあるように、まず、レーザの記録パワーに応じて第二コンデンサへのプリチャージに最適な電圧を決定する最適電圧決定ステップ（Ｓ０５０１）と、最適電圧決定ステップにて決定された記録パワーと、それに対応する最適な電圧とを関連付けて光ディスク装置に記憶する記憶ステップ（Ｓ０５０２）と、から成る製造方法で作製される。
【００４０】
<実施形態１の効果>
以上のように、本実施形態における光ディスク装置は、従来技術において記録開始時のＬＤドライバに入力される電圧が低いために起こるレーザ光パワーが不十分なままの記録開始を防ぎ、記録時の安定したディスクへの情報の書き込みを可能にする。
【００４１】
<<実施形態２>>
<実施形態２の概要>
本実施形態は、実施形態１を基本として、基準電圧源が２つの基準電圧端子を持ち、その２つの基準電圧端子がディスクの情報の読み出し時とディスクへの情報の書き込み時に、オペアンプの非反転入力端子に接続されるよう切り替えるスイッチが加えられている。
【００４２】
<実施形態２の構成>
図６に本実施形態の構成のブロック図の一例を示す。ただし、混乱を避けるため本件発明の特徴部分のみを記載した。この部分は従来技術の光ディスク装置の図１３の破線で囲まれた部分を改良したものであり、それ以外は従来技術と同様であるため図示および説明を省略する。この図にあるように本実施形態の光ディスク装置は、オペアンプ（０６０１）と、抵抗（０６０２）と、基準電圧源（０６０３）と、第一コンデンサ（０６０４）と、第二コンデンサ（０６０５）と、低基準電圧端子（０６０６）と、高基準電圧端子（０６０７）と、第二スイッチ（０６０９）とで構成されている。また、さらに第一スイッチ（０６０８）と、基準電圧比記憶部（０６６１）と、高基準電圧設定部（０６６２）を有していてもよい。以上、上記構成が図のように接続されている。ここで、オペアンプ（０６０１）と、抵抗（０６０２）と、第一コンデンサ（０６０４）と、第二コンデンサ（０６０５）についての説明は、実施形態１で既に記載済みであり説明は省略する。
【００４３】
「基準電圧源」（０６０３）は、オペアンプの非反転入力端子に接続されるように構成されている。また、本実施形態において基準電圧源は後述する「低基準電圧端子」（０６０６）と、「高基準電圧端子」（０６０７）とを有するよう構成されている。
【００４４】
「低基準電圧端子」（０６０６）は、後述する高基準電圧端子の出力する電圧に対して低い電圧を供給する端子となるよう構成されている。この低基準電圧端子から出力される電圧に対応して、記録時の本実施形態の光ディスク装置のＬＤから出力されるレーザ光パワーが決定される。
【００４５】
「高基準電圧端子」（０６０７）は、前述した低基準電圧端子が出力する電圧に対して高い電圧を供給する端子となるよう構成されている。この高基準電圧端子が出力する電圧の値は、後述する高基準電圧設定部により設定されている電圧値である。ここで、高基準電圧端子から供給される電圧は、設定された低基準電圧に対応した第二コンデンサへのプリチャージに必要な電圧であってもよい。このことにより、第二コンデンサのプリチャージに最適な電圧が高基準電圧端子から得られる。
【００４６】
「第一スイッチ」（０６０８）は、実施形態１に記載のスイッチと基本的には共通であるが、さらに、非記録時には第二コンデンサの他方の端子を接地接続し、記録開始命令に応じて前記他方の端子を第一コンデンサの他方の端子に接続するよう構成されていてもよい。
光ディスク装置が、この第一スイッチを有することで、実施形態１に記載したような別途電源がなくても第二コンデンサにプリチャージを行うことができる。
図を用いて具体的に説明すると、図に示すようにｃ端子とｄ端子を持ち、記録開始命令が入力されない時は、端子ｃと接続し第二コンデンサ（０６０５）を接地端子側に接続する。また、記録開始命令が入力されると、端子ｄと接続し第一コンデンサ（０６０４）を第二コンデンサ（０６０５）と並列接続となるように接続する。ここで、「非記録時」とは、ディスクへ情報の書き込みを行わない期間をいう。つまり、本実施形態の光ディスク装置に記録開始命令が入力されない期間であり、同時に書き込み用のフィードバックループ内のサンプルホールド回路の内部スイッチがオープンになっている状態でもある。
【００４７】
「第二スイッチ」（０６０９）は、前記オペアンプの非反転入力端子を、非記録時は高基準電圧端子に接続し、記録開始命令とともに記録時には低基準電圧端子に接続するよう構成されている。図を用いて具体的に説明すると、図に示すようにｅ端子とｆ端子を持ち、記録開始命令が入力されない時は、ｅ端子と接続し、オペアンプの非反転入力端子を高基準電圧端子に接続する。また、記録開始命令が入力されるとｆ端子と接続しオペアンプの非反転入力端子を低基準電圧端子に接続する。
「基準電圧比記憶部」（０６６１）は、前記定められた低基準電圧に対して低基準電圧と高基準電圧との比を記録するように構成されていてもよい。この比は装置の製造段階のレーザ調整工程で調整され、例えば、図７に示すようなテーブルとして製造された各製品（Ａ、Ｂ、Ｃ、・・・）ごとに光ディスク装置内のＥＥＰＲＯＭ等に記録される。
「高基準電圧設定部」（０６６２）は、前記記憶されている比を用いて記録開始前に高基準電圧値を設定するよう構成されていてもよい。光ディスク装置が、これら「基準電圧比記憶部」と「高基準電圧設定部」を有することで、各製品ごとに第二コンデンサのプリチャージに最適な電圧が高基準電圧端子から得られる。
【００４８】
以上が、本実施形態の光ディスク装置の構成の一例である。ここで、上記のように説明した構成による本実施形態の光ディスク装置がどのように動作するかを図８を用いて説明する。
【００４９】
図８（ａ）に本実施形態の記録開始命令が入力される前の回路構成を示す。ただし、図６における第一スイッチ（０６０８）がｃ端子に接続され、また第二スイッチ（０６０９）がｅ端子に接続されている状態の回路構成であり、この時点で関係のない低基準電圧端子等を省略している。また、図８（ｂ）に本実施形態の記録開始命令が入力された後の回路構成を示す。ただし、図６における第一スイッチ（０６０８）がｄ端子に接続され、また第二スイッチ（０６０９）がｆ端子に接続されている状態の回路構成であり、この時点で関係のない高基準電圧端子および接地端等を省略している。また、基準電圧比記憶部（０６６１）と高基準電圧設定部（０６６２）も省略する。
【００５０】
まず、図８（ａ）において、記録開始命令が入力される前は、サンプルホールド回路（０８５１）の内部スイッチがオープンになっているため、オペアンプ（０８０１）側から見たサンプルホールド回路（０８５１）側のインピーダンスは無限大となっている。よって、従来技術で説明したのと同様にこのオペアンプを中心とした回路は電圧フォロワ回路となる。よって、ノードＥおよびオペアンプ（０８０１）の出力端であるノードＦの電圧も高基準電圧端子から出力されている電圧Ｖｒｅｆｂとなる。このことから第一コンデンサ（０８０４）の両端の電位差はゼロとなり、この時点で第一コンデンサ（０８０４）には電荷がチャージされない。しかし、第二コンデンサ（０８０５）の両端には、ノードＦの電圧Ｖｒｅｆｂと接地端間の電位差が存在し、電荷がチャージ（プリチャージ）されている。
【００５１】
次に、光ディスク装置に記録開始命令が入力されると、図８（ｂ）のような構成になる。またこのとき、従来技術でも説明したようにサンプルホールド回路（０８５１）の内部スイッチが接続される。ここで、従来技術ではコンデンサに電荷がチャージされている間は、オペアンプからの出力端の電圧は基準電圧より低くなり、ＬＤが安定して書き込み用のレーザ光出力パワーを出すのに時間がかかった。
【００５２】
しかし、本実施形態では上述したように第一スイッチがｄ端子に接続された場合、電荷がプリチャージされた第二コンデンサ（０８０５）が、電荷のチャージされていない第一コンデンサ（０８０４）と接続され、第一コンデンサ（０８０４）の両端に第二コンデンサ（０８０５）が保持する電位差（時間により変化するが、第一スイッチがｄ端子に接続された瞬間はＶｒｅｆｂである）がかかることで、第一コンデンサ（０８０４）に電荷がチャージされる。よって、図９に示すように、オペアンプからＬＤドライバへ出力される電圧（ノードＦの電圧）は、ある電圧Ｖｂ（ここで、Ｖｂ<Ｖｒｅｆａである）から上昇し、いずれ電圧Ｖｒｅｆａになり安定する。ここで、図中の電圧Ｖｂは、図１６の従来技術で説明した電圧Ｖｘより高く、それにより、ＬＤの出力するレーザ光パワーが安定する低基準電圧源が出力する電圧Ｖｒｅｆａに達するまでの時間Ｔ４は、図１６のＴ２より早くなり、ディスクへの情報の記録品質を高めることができる。
【００５３】
<実施形態２の効果>
以上のように、本実施形態における光ディスク装置は、従来技術において記録開始時のＬＤドライバに入力される電圧が低いためレーザ光パワーが不十分なままの記録開始を防ぎ、記録時の安定したディスクへの情報の書き込みを可能にする。また、記録開始命令が入力される前に行われる第二コンデンサに対するプリチャージは、高基準電圧端子が出力する電圧と接地端との電位差を利用するため、前記プリチャージに最適な電圧を高基準電圧端子が出力する電圧により調整することができ、正確に所定の時間内にＬＤ光パワーを安定させることができる。
【００５４】
<<実施形態３>>
<実施形態３の概要>
本実施形態は、実施形態２のような基準電圧源がもつ基準電圧端子を２種類用意することなく、光ディスク装置が持つ電源電圧等を用いプリチャージ用コンデンサにチャージを行うよう構成された光ディスク装置である。
【００５５】
<実施形態３の構成>
図１０に本実施形態の構成のブロック図の一例を示す。ただし、実施形態１の説明のときと同様、混乱を避けるため本件発明の特徴部分のみを記載した。この部分は従来技術の光ディスク装置の図１３の破線で囲まれた部分にあたり、それ以外は従来技術と同様なため図示および説明を省略する。この図にあるように本実施形態の光ディスク装置は、オペアンプ（１００１）と、抵抗（１００２）と、基準電圧源（１００３）と、第一コンデンサ（１００４）と、第二コンデンサ（１００５）と、第三スイッチ（１０２１）と、定電圧端子（１０２２）から構成され、図のようにそれぞれが接続されている。ここで、オペアンプ（１００１）と、抵抗（１００２）と、第一コンデンサ（１００４）と、第二コンデンサ（１００５）についての説明は、実施形態１で既に記載済みであり説明は省略する。
【００５６】
「定電圧端子」（１０２２）は、例えば、本実施形態の光ディスク装置で用いられる電源電圧等が出力されるように構成されている。この定電圧端子の目的は第二コンデンサの充電であるため、後述する基準電圧源が出力する電圧より高い電圧が出力されている。
【００５７】
「第三スイッチ」（１０２１）は、前記第二コンデンサの非記録時における充電をするために第二コンデンサの一の端子を定電圧端子に接続するよう構成されている。図を用いて具体的に説明すると、図に示すようにｇ端子とｈ端子を持ち、記録開始命令が入力される前は、ｇ端子と接続し第二コンデンサ（１００５）を前記定電圧端子側に接続する。また、記録開始命令が入力されるとｈ端子と接続し第二コンデンサ（１００５）を第一コンデンサ（１００４）と並列接続となるように接続する。
【００５８】
「基準電圧源」（１００３）は、前記定電圧端子の出力する電圧に対して低い電圧を出力するよう構成されている。ただし、本実施形態の光ディスク装置の基準電圧源は実施形態２のような高基準電圧端子と低基準電圧端子を有していない。この基準電圧端子から出力される電圧に対応して、本実施形態の光ディスク装置のＬＤから出力されるレーザ光パワーが決定される。
【００５９】
以上が、本実施形態の光ディスク装置の構成の一例である。ここで、上記のように説明した構成による本実施形態の光ディスク装置がどのように動作するかを説明する。
【００６０】
図１１（ａ）に本実施形態の記録開始命令が入力される前の回路構成を示す。また、図１１（ｂ）に本実施形態の記録開始命令が入力された後の回路構成を示す。ただし、図１０における第三スイッチ（１０２１）がｈ端子に接続されている状態の回路構成であり、この時点で関係のない定電圧端子等を省略している。
【００６１】
まず、（ａ）において、記録開始命令が入力される前は、サンプルホールド回路（１１５１）の内部スイッチがオープンになっているため、オペアンプ（１１０１）側から見たサンプルホールド回路（１１５１）のインピーダンスは無限大となっている。よって、従来技術および実施形態１および実施形態２で説明したのと同様にこのオペアンプ（１１０１）を中心とした回路は電圧フォロワ回路となる。よって、ノードＧおよびオペアンプ（１１０１）の出力端であるノードＨの電圧も基準電圧端子（１１０３）から出力されている電圧Ｖｒｅｆ１となる。このことから第一コンデンサ（１１０４）の両端の電位差はゼロとなり、この時点で第一コンデンサ（１１０４）には電荷がチャージされない。しかし、第二コンデンサ（１１０５）の両端には、ノードＧの電圧Ｖｒｅｆ１と定電圧端子（１１２２）が出力する電圧Ｖｃｃとの電位差が存在し、電荷がチャージ（プリチャージ）されている。
【００６２】
次に、光ディスク装置に記録開始命令が入力されると、第三スイッチはｈ端子に切り替えられ、図１１（ｂ）のような構成になる。またここで、従来技術でも説明したようにサンプルホールド回路（１１５１）の内部スイッチが接続される。ここで、従来技術ではコンデンサに電荷がチャージされている間は、オペアンプからの出力端の電圧は基準電圧より低くなり、ＬＤが安定して書き込み用のレーザ光出力パワーを出すのに時間がかかった。しかし、本実施形態では上述したようにスイッチ第三スイッチがｈ端子に接続された場合、電荷がプリチャージされた第二コンデンサ（１１０５）が、電荷のチャージされていない第一コンデンサ（１１０４）と接続され、第一コンデンサ（１１０４）の両端に第二コンデンサ（１１０５）が保持する電位差（時間により変化するが、第三スイッチがｈ端子に接続された瞬間はＶｃｃ−Ｖｒｅｆ１）がかかることで、第一コンデンサ（１１０４）に電荷がチャージされる。
【００６３】
よって、図１２に示すように、ＬＤドライバに出力される電圧（ノードＨの電圧）は、ある電圧Ｖｃ（ここで、Ｖｃ<Ｖｒｅｆ１である）から上昇し、いずれ電圧Ｖｒｅｆ１になり安定する。ここで、図中の電圧Ｖｃは、図１６の従来技術で説明した電圧Ｖｘより高く、それにより、ＬＤの出力するレーザ光パワーが安定する基準電圧源が出力する電圧Ｖｒｅｆ１に達するまでの時間Ｔ５は、図１６のＴ２より早くなり、ディスクへの情報の記録品質を高めることができる。また、実施形態２の光ディスク装置のように高基準電圧端子、低基準電圧端子の２個用意する必要がなく、またスイッチも１つのみで構成できるため装置の回路構成をシンプルにすることができる利点もある。
【００６４】
<実施形態３の効果>
以上のように、本実施形態における光ディスク装置は、従来技術において記録開始時において、ＬＤドライバに入力される電圧が低いためレーザパワーが不十分なままの記録開始を防ぎ、安定したディスクへの情報の書き込みを可能にする。また、実施形態２の光ディスク装置と比較し回路構成を簡略化することができ、製造原価低減の利点もある。
【図面の簡単な説明】
【００６５】
【図１】実施形態１のブロック図の一例
【図２】実施形態１の記録開始命令入力前における回路構成の一例
【図３】実施形態１の記録開始命令が入力される前後の回路構成の一例
【図４】実施形態１のオペアンプからＬＤドライバへ出力される電圧の時間変化を示すグラフの一例
【図５】実施形態１の製造方法の流れの一例を示すフローチャート
【図６】実施形態２のブロック図の一例
【図７】実施形態２の光ディスク装置が記録している低基準電圧値と高基準電圧値との比を示すテーブルの一例
【図８】実施形態２の記録開始命令が入力される前後の回路構成の一例
【図９】実施形態２のオペアンプからＬＤドライバへ出力される電圧の時間変化を示すグラフの一例
【図１０】実施携帯３のブロック図の一例
【図１１】実施形態３の記録開始命令が入力される前後の回路構成の一例
【図１２】実施形態３のオペアンプからＬＤドライバへ出力される電圧の時間変化を示すグラフの一例
【図１３】従来技術のブロック図の一例
【図１４】従来技術のＬＤが出力するパワーの変化をしめすグラフの一例
【図１５】従来技術の記録開始命令が入力される前後の回路構成の一例
【図１６】従来技術のオペアンプからＬＤドライバへ出力される電圧の時間変化を示すグラフの一例
【符号の説明】
【００６６】
０１０１    オペアンプ
０１０２    抵抗
０１０３    基準電圧源
０１０４    第一コンデンサ
０１０５    第二コンデンサ
０１０８    第一スイッチ
【図１】
2008097687.tif 000003
【図２】
2008097687.tif 000004
【図３】
2008097687.tif 000005
【図４】
2008097687.tif 000006
【図５】
2008097687.tif 000007
【図６】
2008097687.tif 000008
【図７】
2008097687.tif 000009
【図８】
2008097687.tif 000010
【図９】
2008097687.tif 000011
【図１０】
2008097687.tif 000012
【図１１】
2008097687.tif 000013
【図１２】
2008097687.tif 000014
【図１３】
2008097687.tif 000015
【図１４】
2008097687.tif 000016
【図１５】
2008097687.tif 000017
【図１６】
2008097687.tif 000018